(57)【要約】【課題】工期を短縮するとともに、排風機の動力を小さくすることで騒音やランニングコストを低減することができる集塵機一体型の穀物乾燥機を提供する。【解決手段】穀物が投入される乾燥機本体と、前記乾燥機本体の一側に配設されて前記乾燥機本体の内部へ熱風を供給する熱風室と、前記乾燥機本体の他側に配設されて前記乾燥機本体の内部から前記穀物を乾燥させた後の排風を排出する排風室と、を備え、前記排風室の外壁に開口を形成し、前記排風室と前記開口を介して連通する集塵室を一体に連接し、前記排風室へ排出された排風を前記開口から前記集塵室へ排出する。【選択図】図１
2019158298.tif 000002
【特許請求の範囲】
【請求項１】
穀物が投入される乾燥機本体を備え、前記乾燥機本体内に投入される穀物を熱風により乾燥させる穀物乾燥機であって、
当該穀物乾燥機に集塵室を一体的に設け、前記乾燥機本体内において前記穀物を乾燥させた後の排風を前記集塵室へ排出することを特徴とする穀物乾燥機。
【請求項２】
穀物が投入される前記乾燥機本体と、前記乾燥機本体の一側に配設されて前記乾燥機本体の内部へ熱風を供給する熱風室と、前記乾燥機本体の他側に配設されて前記乾燥機本体の内部から前記穀物を乾燥させた後の排風を排出する排風室と、を備える穀物乾燥機であって、
前記排風室の外壁に開口を形成し、前記排風室と前記開口を介して連通する前記集塵室を一体に連接し、前記排風室へ排出された排風を前記開口から前記集塵室へ排出する請求項１記載の穀物乾燥機。
【請求項３】
前記乾燥機本体は、略四角柱形状の外観を有し、前記乾燥機本体の隣り合う２側面のなす４つの交線にそれぞれ接する４つの壁面からなる四角柱形状の外壁により囲繞され、
前記乾燥機本体の各側面と前記外壁の各隅部とで形成される三角柱形状の空間の１つが前記熱風室、前記熱風室に向かい合う側の空間が前記排風室とされてなり、
前記排風室の前記外壁に前記開口を形成し、前記排風室と前記開口を介して連通する前記集塵室を前記外壁の外面に一体に連接する請求項２記載の穀物乾燥機。
【請求項４】
前記排風室の前記外壁の一面に前記開口を形成し、前記開口を形成した前記外壁の外面に前記集塵室の一面を配し、前記集塵室を前記外壁の外面に一体に連接する請求項３記載の穀物乾燥機。
【請求項５】
前記集塵室には、一端が開口し、周面にフィルタが配設される円筒ドラムが配置され、
前記排風室から前記集塵室へ排出された排風を前記円筒ドラムの外周側から内周側へ通過させ、前記フィルタにより清浄化された空気を前記円筒ドラムの開口する前記一端から前記集塵室外へ排出する請求項１乃至４のいずれかに記載の穀物乾燥機。
【請求項６】
前記集塵室には排風機が配設される排気室が隣接して設けられ、
前記円筒ドラムは開口する前記一端が前記排気室に臨む状態で前記集塵室に配置され、
前記排風機の作用により前記清浄化された空気を前記排気室から機外へ排出する請求項５記載の穀物乾燥機。
【請求項７】
請求項１乃至６のいずれかに記載の穀物乾燥機を複数台連座させてなる連座式の穀物乾燥機。
【発明の詳細な説明】
【技術分野】
【０００１】
本発明は、穀物乾燥機に関し、特に、カントリーエレベータやライスセンター等の穀類共同乾燥調製施設に配設して好適な集塵機一体型の穀物乾燥機に関する。
【背景技術】
【０００２】
従来、穀類共同乾燥調製施設では、建屋の高さを抑えるために、大型の穀物乾燥機を屋外に設置することが行われている（特許文献１，２を参照）。
【０００３】
特許文献１，２に記載された屋外型穀物乾燥機は、四角柱状の乾燥機及び該乾燥機に付設するバケットエレベータを備え、前記乾燥機の隣り合う２側面のなす４つの交線に各々接する外壁を立設するとともに、前記外壁上に屋根を設けて前記乾燥機を囲繞するものである。
【０００４】
前記屋外型穀物乾燥機は、前記乾燥機の側面と前記外壁の隅部とで形成される三角柱状の空間の１つを熱風室とし、これに向かい合う空間を排風室とする一方で、さらに他の１つの空間内に前記バケットエレベータを立設する。そして、前記熱風室は、上端が三角板によって閉塞されるとともに、下方に熱風発生機が接続され、前記排風室は、上端及び下端が三角板によって閉塞されるとともに、前記外壁の下部に排風口が開口し、該排風口に排風機が装着される。
【０００５】
前記屋外型穀物乾燥機において、前記熱風発生機から前記熱風室に送られた熱風は、前記乾燥機内に流入し、前記乾燥機内の穀物を乾燥させる。また、前記穀物を乾燥させた後の排風は、前記排風室に流出し、前記排風機により前記排風口から排出される。
【０００６】
ところで、前記屋外型穀物乾燥機は、前記乾燥機の稼働中に発生する藁（わら）片や塵埃（以下、「塵埃等」という。）を回収する集塵装置が別に配置され、ダクト配管により接続されるため、工期が長期化する問題がある。
また、前記屋外型穀物乾燥機は、前記ダクト配管の圧力損失の影響により、前記排風機の動力を大きくする必要があり、騒音やランニングコストが大きくなる問題がある。
【先行技術文献】
【特許文献】
【０００７】
【特許文献１】実開平４−２２０３９号公報
【特許文献２】実開平６−６３１４０号公報
【発明の概要】
【発明が解決しようとする課題】
【０００８】
そこで、本発明は、工期を短縮するとともに、排風機の動力を小さくすることで騒音やランニングコストを低減することができる集塵機一体型の穀物乾燥機を提供することを目的とする。
【０００９】
上記目的を達成するため、本発明の穀物乾燥機は、
穀物が投入される乾燥機本体を備え、前記乾燥機本体内に投入される穀物を熱風により乾燥させる穀物乾燥機であって、
当該穀物乾燥機に集塵室を一体的に設け、前記乾燥機本体内において前記穀物を乾燥させた後の排風を前記集塵室へ排出することを特徴とする。
【００１０】
本発明の穀物乾燥機は、
穀物が投入される前記乾燥機本体と、前記乾燥機本体の一側に配設されて前記乾燥機本体の内部へ熱風を供給する熱風室と、前記乾燥機本体の他側に配設されて前記乾燥機本体の内部から前記穀物を乾燥させた後の排風を排出する排風室と、を備える穀物乾燥機であって、
前記排風室の外壁に開口を形成し、前記排風室と前記開口を介して連通する前記集塵室を一体に連接し、前記排風室へ排出された排風を前記開口から前記集塵室へ排出することが好ましい。
【００１１】
本発明の穀物乾燥機は、
前記乾燥機本体が、略四角柱形状の外観を有し、前記乾燥機本体の隣り合う２側面のなす４つの交線にそれぞれ接する４つの壁面からなる四角柱形状の外壁により囲繞され、
前記乾燥機本体の各側面と前記外壁の各隅部とで形成される三角柱形状の空間の１つが前記熱風室、前記熱風室に向かい合う側の空間が前記排風室とされてなり、
前記排風室の前記外壁に前記開口を形成し、前記排風室と前記開口を介して連通する前記集塵室を前記外壁の外面に一体に連接することが好ましい。
【００１２】
本発明の穀物乾燥機は、
前記排風室の前記外壁の一面に前記開口を形成し、前記開口を形成した前記外壁の外面に前記集塵室の一面を配し、前記集塵室を前記外壁の外面に一体に連接することが好ましい。
【００１３】
本発明の穀物乾燥機は、
前記集塵室には、一端が開口し、周面にフィルタが配設される円筒ドラムが配置され、
前記排風室から前記集塵室へ排出された排風を前記円筒ドラムの外周側から内周側へ通過させ、前記フィルタにより清浄化された空気を前記円筒ドラムの開口する前記一端から前記集塵室外へ排出することが好ましい。
【００１４】
本発明の穀物乾燥機は、
前記集塵室には排風機が配設される排気室が隣接して設けられ、
前記円筒ドラムは開口する前記一端が前記排気室に臨む状態で前記集塵室に配置され、
前記排風機の作用により前記清浄化された空気を前記排気室から機外へ排出することが好ましい。
【００１５】
本発明の穀物乾燥機は、
上記いずれかの穀物乾燥機を複数台連座させてなる連座式とすることが好ましい。
【発明の効果】
【００１６】
本発明の穀物乾燥機は、当該穀物乾燥機に集塵室を一体的に設け、乾燥機本体内において穀物を乾燥させた後の排風を前記集塵室へ排出するので、集塵装置が別に配置される従来の穀物乾燥機のように、ダクト配管により集塵装置を接続する必要がなく、従来に比べて工期を短縮することができる。
【００１７】
また、本発明の穀物乾燥機は、当該穀物乾燥機に集塵室を一体的に設けるので、ダクト配管による圧力損失の影響がなく、従来に比べ、排風を前記集塵室へ排出する際の排風機の動力を小さくすることができ、騒音やランニングコストを低減することができる。
【００１８】
さらに、本発明の穀物乾燥機は、当該穀物乾燥機に集塵室を一体的に設けるので、消防法上、周囲に保有空地を確保する必要がある場合でも、前記集塵室を一体化した穀物乾燥機として許可を受けることで、設置スペースを削減することができる。
【００１９】
本発明の穀物乾燥機は、乾燥機本体の一側に配設されて前記乾燥機本体の内部へ熱風を供給する熱風室と、前記乾燥機本体の他側に配設されて前記乾燥機本体の内部から前記穀物を乾燥させた後の排風を排出する排風室と、を備え、前記排風室の外壁に開口を形成し、前記排風室と前記開口を介して連通する集塵室を一体に連接し、前記排風室へ排出された排風を前記開口から前記集塵室へ排出することとすれば、集塵装置が別に配置される従来の穀物乾燥機のように、ダクト配管により集塵装置を接続する必要がなく、従来に比べて工期を短縮することができる。
【００２０】
また、本発明の穀物乾燥機は、前記排風室と前記開口を介して連通する前記集塵室を一体に連接するので、ダクト配管による圧力損失の影響がなく、従来に比べ、排風を前記集塵室へ排出する際の排風機の動力を小さくすることができ、騒音やランニングコストを低減することができる。
【００２１】
さらに、本発明の穀物乾燥機は、前記排風室と前記開口を介して連通する前記集塵室を一体に連接するので、消防法上、周囲に保有空地を確保する必要がある場合でも、前記集塵室を一体化した穀物乾燥機として許可を受けることで、設置スペースを削減することができる。
【００２２】
本発明の穀物乾燥機は、前記乾燥機本体が、略四角柱形状の外観を有し、前記乾燥機本体の隣り合う２側面のなす４つの交線にそれぞれ接する４つの壁面からなる四角柱形状の外壁より囲繞され、前記乾燥機本体の各側面と前記外壁の各隅部とで形成される三角柱形状の空間の１つが前記熱風室、前記熱風室に向かい合う側の空間が前記排風室とされてなり、前記排風室の前記外壁に前記開口を形成し、前記排風室と前記開口を介して連通する前記集塵室を前記外壁の外面に一体に連接することとすれば、特に、穀類共同乾燥調製施設に乾燥・集塵ユニットとして配設して好適なものとなる。
【００２３】
本発明の穀物乾燥機は、前記排風室の前記外壁の一面に前記開口を形成し、前記開口を形成した前記外壁の外面に前記集塵室の一面を配し、前記集塵室を前記外壁の外面に一体に連接することとすれば、前記集塵室を、前記開口を形成した前記外壁の幅内に配設することで、設置面積が小さくコンパクトな構成とすることができる。
【００２４】
本発明の穀物乾燥機は、前記集塵室には、一端が開口し、周面にフィルタが配設される円筒ドラムが配置され、前記排風室から前記集塵室へ排出された排風を前記円筒ドラムの外周側から内周側へ通過させ、前記フィルタにより清浄化された空気を前記円筒ドラムの開口する前記一端から前記集塵室外へ排出することとすれば、乾式集塵機を一体化したものとなり、前記集塵室の清掃を含めたメンテナンスが容易となる。
【００２５】
本発明の穀物乾燥機は、前記集塵室には排風機が配設される排気室が隣接して設けられ、前記円筒ドラムは開口する前記一端が前記排気室に臨む状態で前記集塵室に配置され、前記排風機の作用により前記清浄化された空気を前記排気室から機外へ排出することとすれば、前記集塵室内の圧力が下がるため、前記排風室から前記集塵室へ排出される排風の流れを円滑化することができる。
【００２６】
本発明の穀物乾燥機は、複数台連座させる連座式とすることとすれば、ダクト配管が不要でコンパクトに構成できるため、特に、穀類共同乾燥調製施設に配設して好適な集塵機一体型の穀物乾燥機となる。
【図面の簡単な説明】
【００２７】
【図１】本発明の実施の形態における穀物乾燥機の概略正面図
【図２】図１の穀物乾燥機の概略正面斜視図。
【図３】図１の穀物乾燥機の概略背面斜視図。
【図４】図１の穀物乾燥機の概略平面図。
【図５】集塵室に配置される円筒ドラムの説明図。
【発明を実施するための形態】
【００２８】
本発明の実施の形態を図面に基づいて説明する。
図１は本発明の実施の形態における穀物乾燥機の概略正面図を示す。図２は図１の穀物乾燥機の概略正面斜視図を示す。図３は図１の穀物乾燥機の概略背面斜視図を示す。図４は図１の穀物乾燥機の概略平面図を示す。図５は集塵室に配置される円筒ドラム８２の説明図を示す。なお、図２乃至図４は、説明の都合上、屋根５を省略して示す。
【００２９】
本発明の実施の形態における穀物乾燥機１は、４つの側面２１Ａ〜２１Ｄを有する略四角柱形状の外観を呈し、上部に貯留部、下部に乾燥部を有する乾燥機本体２と、前記乾燥機本体２に付設されるバケットエレベータ３とを備える。
【００３０】
前記乾燥機本体２は、当該乾燥機本体２の隣り合う２側面のなす４つの交線にそれぞれ接する４つの壁面からなる四角柱形状の外壁４Ａ〜４Ｄと、前記外壁４Ａ〜４Ｄの上部を覆う屋根５により囲繞される。
【００３１】
そして、前記乾燥機本体２の各側面２１Ａ〜２１Ｄと前記外壁４Ａ〜４Ｄの各隅部とで形成される三角柱形状の４つの空間の内の１つが前記乾燥機本体２内へ熱風を供給する熱風室６とされ、前記熱風室６の上端が図示しない三角板により閉塞される。
また、前記熱風室６に向かい合う側の空間が前記乾燥機本体２内から前記熱風を排出する排風室７とされ、前記排風室７の上端及び下端が図示しない三角板により閉塞される。
【００３２】
前記乾燥機本体２の下方には、熱風発生装置としてのバーナと、前記熱風発生装置により発生する熱風を前記熱風室６へ供給する送風機からなる図示しないバーナ・ファンユニットが配設される。
【００３３】
前記乾燥機本体２の前記乾燥部であって対向する側面２１Ａ，２１Ｃの間には、前記熱風室６側の一端が開口し熱風が供給される熱風樋６２（熱風ルーバ）と、前記排風室７側の他端が開口し穀物を乾燥した後の排風を排出する排風樋７２（排風ルーバ）がそれぞれ横設される。
【００３４】
前記熱風樋６２及び前記排風樋７２は、上面及び側面が多孔壁により形成され、下面がスリット状に開放されて山型形状をなす風路を有し、それぞれが水平方向に複数並設された状態で上下に交互に設けられる。
【００３５】
前記穀物乾燥機１において、前記熱風発生装置により発生する熱風は、前記送風機により前記熱風室６へ供給され、前記熱風樋６２を介して前記乾燥機本体２の内部に流入し、穀物を乾燥させる。また、前記穀物を乾燥させた後の排風は、前記送風機の作用により前記排風樋７２を介して前記排風室７へ排出される。
【００３６】
他方、前記乾燥機本体２の各側面２１Ａ〜２１Ｄと前記外壁４Ａ〜４Ｄの各隅部とで形成される三角柱形状の空間の他の１つには、さらに前記バケットエレベータ３が立設される。
【００３７】
前記バケットエレベータ３は、原料穀物を揚穀し、前記原料穀物を前記乾燥機本体２の上部に設けられる投入口より前記乾燥機本体２内へ投入する。
また、前記バケットエレベータ３は、前記乾燥機本体２の下方から排出される穀物を揚穀し、前記穀物を前記投入口より前記乾燥機本体２内へ投入して循環させる。
【００３８】
そして、穀物の乾燥終了時、前記バケットエレベータ３は、前記乾燥機本体２から排出される穀物を揚穀し、切換弁の切換により前記穀物を機外へ排出する。
【００３９】
本発明の実施の形態では、前記穀物乾燥機１に乾式集塵機を一体化して設ける。
図２乃至図４に示すように、前記排風室７を構成する１つの外壁４Ｄには開口７５が形成され、前記開口７５が形成された前記外壁４Ｄの外面には開口する面が位置するように集塵室８が配置され、前記集塵室８は前記排風室７と前記開口７５を介して連通するよう前記外壁４Ｄの外面に一体に連接される。
【００４０】
前記集塵室８には４基の排風機９２が配設される排気室９が隣接して設けられる。
前記集塵室８には、図５に示すような、一端８３が開口し、周面にフィルタ８４が配設される円筒ドラム８２が、開口する前記一端８３を前記排気室９に臨ませた状態で配置される。
【００４１】
前記穀物乾燥機１において、前記乾燥機本体２内において穀物を乾燥させ、前記排風室７へ排出された排風は、前記排風機９２の吸引作用により前記集塵室８内の圧力が下がるため、前記送風機の送風作用と前記排風機９２の吸引作用によって前記排風室７の外壁４Ｄに形成された開口７５から前記集塵室８へ円滑に排出される。
【００４２】
前記集塵室８へ円滑に排出された前記排風は、前記円筒ドラム８２の外周側から内周側へ通過し、前記フィルタ８４により塵埃等が効率よく除去されて清浄化された後、前記円筒ドラム８２の開口する前記一端８３から前記排気室９へ排出され、前記排風機９３により機外へ排出される
【００４３】
前記円筒ドラム８２は、回転軸８５により回転可能に支持されており、前記フィルタ８４の目詰まりに応じて、及び／又は定期的に回転しながら前記フィルタ８４に捕捉した塵埃等が吸引ノズル８６により吸引され、前記塵埃等が図示しないサイクロン等へ送られて回収される。
【００４４】
また、前記集塵室８の下方には沈降室１０が設けられ、前記集塵室８の下方に落下した比較的重い塵埃等が前記沈降室１０に落下し堆積することで別途回収される。
【００４５】
ここで、前記穀物乾燥機１は、前記集塵室８を前記外壁４Ｄの外面に配置するに際し、前記外壁４Ｄの幅内に配置することで、設置面積が小さくコンパクトな構成の集塵機一体型の穀物乾燥機とすることができる。
【００４６】
また、前記穀物乾燥機１は、乾式集塵機を一体化したものなので、前記集塵室８の清掃を含めたメンテナンスが容易となる。
【００４７】
本発明の実施の形態における穀物乾燥機は、排風室７の外壁４Ｄに開口７５を形成し、前記排風室７と前記開口４Ｄを介して連通する集塵室８を一体に連接し、前記排風室７へ排出された排風を前記開口７５から前記集塵室８へ排出するので、集塵装置が別に配置される従来の穀物乾燥機のように、ダクト配管により集塵装置を接続する必要がなく、従来に比べて工期を短縮することができる。
【００４８】
また、本発明の実施の形態における穀物乾燥機は、前記排風室７と前記開口７５を介して連通する前記集塵室８を一体に連接するので、ダクト配管による圧力損失の影響がなく、従来に比べ、排風を前記集塵室８へ排出する際の排風機９２の動力を小さくすることができ、騒音やランニングコストを低減することができる。
【００４９】
さらに、本発明の実施の形態における穀物乾燥機は、前記排風室７と前記開口７５を介して連通する前記集塵室８を一体に連接するので、消防法上、周囲に保有空地を確保する必要がある場合でも、集塵機一体型の穀物乾燥機として許可を受けることで、設置スペースを削減することができる。
【００５０】
上記本発明の実施の形態における穀物乾燥機は、乾燥機本体２が略四角柱形状の外観を呈し、前記乾燥機本体２の隣り合う２側面のなす４つの交線にそれぞれ接する４つの壁面からなる四角柱形状の外壁４Ａ〜４Ｄと、前記外壁４Ａ〜４Ｄの上部を覆う屋根５により囲繞され、前記乾燥機本体２の各側面２１Ａ〜２１Ｄと前記外壁４Ａ〜４Ｄの各隅部とで形成される三角柱形状の空間の１つが熱風室６、前記熱風室６に向かい合う側の空間が排風室７とされてなり、前記排風室７の外壁４Ｄに開口７５を形成し、前記排風室７と前記開口７５を介して連通する集塵室８を前記外壁４Ｄの外面に一体に連接するので、特に、穀類共同乾燥調製施設に乾燥・集塵ユニットとして配設して好適なものとなる。
【００５１】
また、上記本発明の実施の形態における穀物乾燥機は、複数台を連座させることで連座式の穀物乾燥機とすれば、ダクト配管が不要でコンパクトに構成できるため、特に、穀類共同乾燥調製施設に配設して好適な集塵機一体型の穀物乾燥機となる。
【００５２】
なお、穀類共同乾燥調製施設に配設される穀物乾燥機として例示したものに代えて、他の構成を有する穀物乾燥機においても同様に、排風室の外壁に開口を形成し、前記排風室と前記開口を介して連通する集塵室を一体に連接し、前記排風室へ排出された排風を前記開口から前記集塵室へ排出するものとすることができる。
【００５３】
また、穀類共同乾燥調製施設に配設される大型の穀物乾燥機に代えて、小型の穀物乾燥機など、それ以外の穀物乾燥機においても同様に、前記穀物乾燥機に集塵室を一体に設け、乾燥機本体内において穀物を乾燥させた後の排風を前記集塵室へ排出するものとすることができる。
【００５４】
上記本発明の実施の形態における穀物乾燥機は、乾式集塵機を一体化したものであるが、湿式集塵機を一体化することもできる。
【００５５】
以上、本発明の実施の形態について説明したが、本発明は、上記実施の形態に限定されるものでなく、発明の範囲を逸脱しない限りにおいて、その構成を適宜変更できることはいうまでもない。
【産業上の利用可能性】
【００５６】
本発明の穀物乾燥機は、集塵室を一体的に設けることでダクト配管を不要とした集塵機一体型の穀物乾燥機であり、例えば穀類共同乾燥調製施設に乾燥・集塵ユニットとして好適に配設することができる。
【符号の説明】
【００５７】
１      穀物乾燥機
２      乾燥機本体
２１Ａ〜２１Ｄ      側面
３      バケットエレベータ
４Ａ〜４Ｄ      外壁
５      屋根
６      熱風室
６２      熱風樋（熱風ルーバ）
７      排風室
７２      排風樋（排風ルーバ）
７５      開口
８      集塵室
８２      円筒ドラム
８３      一端
８４      フィルタ
８５      回転軸
８６      吸引ノズル
９      排気室
９２      排風機
１０      沈降室
【図１】
2019158298.tif 000003
【図２】
2019158298.tif 000004
【図３】
2019158298.tif 000005
【図４】
2019158298.tif 000006
【図５】
2019158298.tif 000007